(57)【特許請求の範囲】
【請求項１】
通信ネットワーク（６００）において少なくとも２つのユーザ装置カテゴリの選択に従ってユーザ装置（６０５）と通信する基地局（６０３）における方法であって、
選択されたユーザ装置カテゴリについての情報に基づき、前記基地局（６０３）によってサポートされる第１の最大送信レイヤ数を決定するステップ（７０２ａ、７０２ｂ、７０２ｃ、７０２ｄ、８０２）と、
前記第１の最大送信レイヤ数の指標を前記ユーザ装置（６０５）へ送信するステップ（７０２ａ、７０２ｂ、７０２ｄ、８０４）と、
前記決定された第１の最大送信レイヤ数までと、前記選択されたユーザ装置カテゴリとに従って、前記ユーザ装置（６０５）と通信するステップ（７０３ａ、７０４ｂ、７０２ｃ、７０４ｄ、８０５）と
を含むことを特徴とする方法。
【請求項２】
前記少なくとも２つのユーザ装置カテゴリと、各ユーザ装置カテゴリにおける最大送信レイヤ数の前記指標とについての情報を、前記ユーザ装置（６０５）から受信するステップ（７０１ａ、７０１ｂ、７０１ｃ、７０１ｄ、８０１）をさらに含むことを特徴とする請求項１に記載の方法。
【請求項３】
前記第１の最大送信レイヤ数の前記指標は、前記第１の最大送信レイヤ数が第２の最大送信レイヤ数よりも大きい場合に、前記ユーザ装置（６０５）へ送信されることを特徴とする請求項２に記載の方法。
【請求項４】
前記ユーザ装置（６０５）及び前記基地局（６０３）の間の無線チャネル（６０４）の状態についての情報を含む、前記第１の最大送信レイヤ数に従ったチャネル状態情報を、前記ユーザ装置（６０５）から受信するステップ（７０３ｂ、７０３ｄ、８０３）をさらに含むことを特徴とする請求項３に記載の方法。
【請求項５】
前記第１の最大送信レイヤ数の前記指標は、無線リソースコントロール（ＲＲＣ）プロトコルを介して、前記ユーザ装置（６０５）へ送信される（７０２ａ、７０２ｂ、７０２ｄ、８０４）ことを特徴とする請求項１乃至４の何れか１項に記載の方法。
【請求項６】
前記決定された第１の最大送信レイヤ数までと、前記選択されたユーザ装置カテゴリとに従って、前記ユーザ装置（６０５）と通信する前記ステップ（７０３ａ、７０４ｂ、７０２ｃ、７０４ｄ、８０５）は、前記基地局（６０３）から前記ユーザ装置（６０５）への方向におけるダウンリンク通信であることを特徴とする請求項１乃至５の何れか１項に記載の方法。
【請求項７】
前記選択されたユーザ装置カテゴリと、前記第１の最大送信レイヤ数とは、ロング・ターム・エボリューション（ＬＴＥ）リリース８／９に関連付けられ、第２の最大送信レイヤ数は、ＬＴＥリリース１０に関連付けられ、或いは、
前記選択されたユーザ装置カテゴリと、前記第１の最大送信レイヤ数とは、ＬＴＥリリース１０に関連付けられ、前記第２の最大送信レイヤ数は、ＬＴＥリリース８／９に関連付けられることを特徴とする請求項１乃至６の何れか１項に記載の方法。
【請求項８】
通信ネットワーク（６００）において少なくとも２つのユーザ装置カテゴリの選択に従って基地局（６０３）と通信するユーザ装置（６０５）における方法であって、
選択されたユーザ装置カテゴリについての情報に基づき、前記ユーザ装置（６０５）によってサポートされる第１の最大送信レイヤ数を決定するステップ（７０２ａ、７０２ｂ、７０２ｃ、７０２ｄ、９０２）と、
前記第１の最大送信レイヤ数の指標を前記基地局（６０３）から受信するステップ（７０２ａ、７０２ｂ、７０２ｄ、９０５）と、
前記第１の最大送信レイヤ数までと、前記選択されたユーザ装置カテゴリとに従って、前記基地局（６０３）と通信するステップ（７０３ａ、７０４ｂ、７０２ｃ、７０４ｄ、９０６）と
を含むことを特徴とする方法。
【請求項９】
少なくとも２つのユーザ装置カテゴリと、各ユーザ装置カテゴリにおける最大送信レイヤ数の前記指標とについての情報を、前記基地局（６０３）へ送信するステップ（７０１ａ、７０１ｃ、７０１ｄ、９０１）をさらに含むことを特徴とする請求項８に記載の方法。
【請求項１０】
前記第１の最大送信レイヤ数の前記指標は、前記第１の最大送信レイヤ数が第２の最大送信レイヤ数よりも大きい場合に、前記基地局（６０３）から受信される（７０２ａ、７０２ｂ、７０２ｄ、９０５）ことを特徴とする請求項９に記載の方法。
【請求項１１】
前記ユーザ装置（６０５）と前記基地局（６０３）との間の無線チャネル（６０４）の状態であって、前記第１の最大送信レイヤ数に従った前記状態についてのチャネル状態情報を取得するステップ（７０３ｂ、７０３ｄ、９０３）と、
前記基地局（６０３）へ前記チャネル状態情報を送信するステップ（７０３ｂ、７０３ｄ、９０４）と
をさらに含むことを特徴とする請求項８乃至１０の何れか１項に記載の方法。
【請求項１２】
前記第１の最大送信レイヤ数の前記指標は、無線リソースコントロール（ＲＲＣ）プロトコルを介して、前記基地局（６０３）から受信される（７０２ａ、７０２ｂ、７０２ｄ、９０５）ことを特徴とする請求項８乃至１１の何れか１項に記載の方法。
【請求項１３】
前記第１の最大送信レイヤ数までと、前記選択されたユーザ装置カテゴリとに従って、前記基地局（６０３）と通信する前記ステップ（７０３ａ、７０４ｂ、７０２ｃ、７０４ｄ、９０６）は、前記基地局（６０３）から前記ユーザ装置（６０５）への方向におけるダウンリンク通信であることを特徴とする請求項８乃至１２の何れか１項に記載の方法。
【請求項１４】
前記第１の最大送信レイヤ数の前記指標は、前記ユーザ装置（６０５）において事前設定されることを特徴とする請求項８乃至１３の何れか１項に記載の方法。
【請求項１５】
前記選択されたユーザ装置カテゴリと、前記第１の最大送信レイヤ数とは、ロング・ターム・エボリューション（ＬＴＥ）リリース８／９に関連付けられ、第２の最大送信レイヤ数は、ＬＴＥリリース１０に関連付けられ、或いは、
前記選択されたユーザ装置カテゴリと、前記第１の最大送信レイヤ数とは、ＬＴＥリリース１０に関連付けられ、前記第２の最大送信レイヤ数は、ＬＴＥリリース８／９に関連付けられることを特徴とする請求項８乃至１４の何れか１項に記載の方法。
【請求項１６】
通信ネットワーク（６００）において少なくとも２つのユーザ装置カテゴリの選択に従ってユーザ装置（６０５）と通信する基地局（６０３）であって、
選択されたユーザ装置カテゴリについての情報に基づき、前記基地局（６０３）によってサポートされる第１の最大送信レイヤ数を決定する決定部（１００１）と、
前記第１の最大送信レイヤ数の指標を前記ユーザ装置（６０５）へ送信する送信ポート（１００３）と、
前記第１の最大送信レイヤ数までと、前記選択されたユーザ装置カテゴリとに従って、前記ユーザ装置（６０５）と通信する通信部（１００５）と
を備えることを特徴とする基地局（６０３）。
【請求項１７】
前記少なくとも２つのユーザ装置カテゴリと、各ユーザ装置カテゴリにおける最大送信レイヤ数の前記指標とについての情報を、前記ユーザ装置（６０５）から受信する受信ポート（１００８）をさらに備えることを特徴とする請求項１６に記載の基地局（６０３）。
【請求項１８】
前記第１の最大送信レイヤ数の前記指標は、前記第１の最大送信レイヤ数が第２の最大送信レイヤ数よりも大きい場合に、前記ユーザ装置（６０５）へ送信されることを特徴とする請求項１７に記載の基地局（６０３）。
【請求項１９】
前記受信ポート（１００８）は、さらに、前記ユーザ装置（６０５）及び前記基地局（６０３）の間の無線チャネル（６０４）の状態についての情報を含む、前記第１の最大送信レイヤ数に従ったチャネル状態情報を、前記ユーザ装置（６０５）から受信することを特徴とする請求項１７又は１８に記載の基地局（６０３）。
【請求項２０】
前記送信ポート（１００３）は、さらに、前記第１の最大送信レイヤ数の前記指標を、無線リソースコントロール（ＲＲＣ）プロトコルを介して、前記ユーザ装置（６０５）へ送信することを特徴とする請求項１６乃至１９の何れか１項に記載の基地局（６０３）。
【請求項２１】
前記決定された第１の最大送信レイヤ数までと、前記選択されたユーザ装置カテゴリとに従った、前記ユーザ装置（６０５）との通信は、前記基地局（６０３）から前記ユーザ装置（６０５）への方向におけるダウンリンク通信であることを特徴とする請求項１６乃至２０の何れか１項に記載の基地局（６０３）。
【請求項２２】
前記選択されたユーザ装置カテゴリと、前記第１の最大送信レイヤ数とは、ロング・ターム・エボリューション（ＬＴＥ）リリース８／９に関連付けられ、第２の最大送信レイヤ数は、ＬＴＥリリース１０に関連付けられ、或いは、
前記選択されたユーザ装置カテゴリと、前記第１の最大送信レイヤ数とは、ＬＴＥリリース１０に関連付けられ、前記第２の最大送信レイヤ数は、ＬＴＥリリース８／９に関連付けられることを特徴とする請求項１６乃至２１の何れか１項に記載の基地局（６０３）。
【請求項２３】
通信ネットワーク（６００）において少なくとも２つのユーザ装置カテゴリの選択に従って基地局（６０３）と通信するユーザ装置（６０５）であって、
選択されたユーザ装置カテゴリについての情報に基づき、前記ユーザ装置（６０５）によってサポートされる第１の最大送信レイヤ数を決定する決定部（１１０３）と、
前記第１の最大送信レイヤ数の指標を前記基地局（６０３）から受信する受信ポート（１１０１）と、
前記第１の最大送信レイヤ数までと、前記選択されたユーザ装置カテゴリとに従って、前記基地局（６０３）と通信する通信部（１１０５）と
を備えることを特徴とするユーザ装置（６０５）。
【請求項２４】
少なくとも２つのユーザ装置カテゴリと、各ユーザ装置カテゴリにおける最大送信レイヤ数の前記指標とについての情報を、前記基地局（６０３）へ送信する送信ポート（１１０８）をさらに備えることを特徴とする請求項２３に記載のユーザ装置（６０５）。
【請求項２５】
前記受信ポート（１１０１）は、さらに、
前記第１の最大送信レイヤ数の前記指標を、前記第１の最大送信レイヤ数が第２の最大送信レイヤ数よりも大きい場合に、前記基地局（６０３）から受信することを特徴とする請求項２４に記載のユーザ装置（６０５）。
【請求項２６】
前記ユーザ装置（６０５）と前記基地局（６０３）との間の無線チャネル（６０４）の状態であって、前記第１の最大送信レイヤ数に従った前記状態についてのチャネル状態情報を取得する取得部（１１０９）と、
前記基地局（６０３）へ前記チャネル状態情報を送信する送信ポート（１１０８）と
をさらに備えることを特徴とする請求項２３乃至２５の何れか１項に記載のユーザ装置（６０５）。
【請求項２７】
前記第１の最大送信レイヤ数の前記指標は、無線リソースコントロール（ＲＲＣ）プロトコルを介して、前記基地局（６０３）から受信される（７０２ａ、７０２ｂ、７０２ｄ、９０６）ことを特徴とする請求項２３乃至２６の何れか１項に記載のユーザ装置（６０５）。
【請求項２８】
前記第１の最大送信レイヤ数までと、前記選択されたユーザ装置カテゴリとに従った、前記基地局（６０３）との通信（７０３ａ、７０４ｂ、７０２ｃ、７０４ｄ、９０７）は、前記基地局（６０３）から前記ユーザ装置（６０５）への方向におけるダウンリンク通信であることを特徴とする請求項２３乃至２７の何れか１項に記載のユーザ装置（６０５）。
【請求項２９】
前記第１の最大送信レイヤ数の前記指標は、前記ユーザ装置（６０５）において事前設定されることを特徴とする請求項２３乃至２８の何れか１項に記載のユーザ装置（６０５）。
【請求項３０】
前記選択されたユーザ装置カテゴリと、前記第１の最大送信レイヤ数とは、ロング・ターム・エボリューション（ＬＴＥ）リリース８／９に関連付けられ、第２の最大送信レイヤ数は、ＬＴＥリリース１０に関連付けられ、或いは、
前記選択されたユーザ装置カテゴリと、前記第１の最大送信レイヤ数とは、ＬＴＥリリース１０に関連付けられ、前記第２の最大送信レイヤ数は、ＬＴＥリリース８／９に関連付けられることを特徴とする請求項２３乃至２９の何れか１項に記載のユーザ装置（６０５）。
【発明の詳細な説明】
【技術分野】
【０００１】
本発明は、一般的には、基地局、ユーザ装置（ＵＥ）、及びそれらの方法に関するものである。より具体的には、無線通信、特にユーザ装置の機能に関するものである。
【背景技術】
【０００２】
典型的なセルラー無線システムにおいて、複数の無線端末は、無線アクセスネットワーク（ＲＡＮ）を介して１つ以上のコアネットワーク（ＣＮ）と通信を行う。複数の無線端末は、モバイル電話機と、スマートフォン、セルラー電話機、モバイルターミネイションなどの無線機能を有するタブレットコンピュータ及びラップトップなどの、モバイルステーション及びユーザ装置ユニットの少なくとも何れかとして知られており、したがって、例えば、無線アクセスネットワークを介して音声及びデータの少なくとも何れかを通信する、ポータブル、ポケットストレージ、携帯型、コンピュータ搭載型、又は車両搭載型のモバイルデバイスであってもよい。
【０００３】
ＲＡＮは、基地局（ＢＳ）、例えばいわゆるノードＢ、発展ノードＢ（ｅＮＢ）又は基地局（ＢＴＳ）である無線基地局（ＲＢＳ）によって管理される複数のセル領域に分割された地理的領域をカバーする。用語「基地局」は、上記例示の何れかを参照する場合に以下で使用される。セルは、基地局サイトで無線基地局機器によって無線カバレージが提供される地理的領域である。複数の基地局は、基地局の範囲内のユーザ装置ユニットと、無線周波数で動作するエアインタフェースを介して通信を行う。
【０００４】
無線アクセスネットワークのいくつかのバージョン、特に旧バージョンにおいて、いくつかの基地局は、例えば地上通信線又はマイクロウェーブによって無線ネットワークコントローラへ典型的に接続される。無線ネットワークコントローラはまた、時には、それらへ接続される基地局の種々の機能を監視するか指示する基地局制御装置（ＢＳＣ）として機能する。無線ネットワークコントローラは、１つ以上のコアネットワークへ典型的に接続される。
【０００５】
ユニバーサル・モバイル・テレコミュニケーション・システム（ＵＭＴＳ）は、グローバル・システム・フォー・モバイル・コミュニケーションズ（ＧＳＭ）から進化した第３世代モバイル通信システムであり、広帯域符号分割多元接続（ＷＣＤＭＡ）アクセス技術に基づき、改良されたモバイル通信サービスを提供することを意図している。ユニバーサル地上無線アクセスネットワーク（ＵＴＲＡＮ）は、本質的には、ユーザ装置ユニットに対して広帯域符号分割多元接続を用いる無線アクセスネットワークである。第３世代パートナーシップ・プロジェクト（３ＧＰＰ）は無線アクセスネットワーク技術をベースにしたＵＴＲＡＮ及びＧＳＭをさらに進化させたことを保証している。
【０００６】
ロング・ターム・エボリューション（ＬＴＥ）は、無線ネットワーク制御装置ノードよりもむしろ無線基地局ノードがコアネットワークへ直接的に接続される、３ＧＰＰ無線アクセス技術の変形である。ＬＴＥにおいて、無線ネットワーク制御装置ノードの機能は、一般的には、無線基地局ノードによって実行される。そのようなものとして、ＬＴＥシステムの無線アクセスネットワークは、無線ネットワーク制御装置ノードへ報告することなく基地局ノードを含む実質的な”フラット（ｆｌａｔ）”アーキテクチャを有する。ＬＴＥはリリース８で３ＧＰＰに導入された。リリース９及びリリース１０は、ＬＴＥのより最新のリリースである。例えば、リリース８は、ｒｅｌ−８、リリース８、ＬＴＥリリース８、又は３ＧＰＰリリース８として記載されうる。用語「コードワード」、「レイヤ」、「事前符号化」及び「ビーム形成」は、信号及びそれらの処理を参照するように、ＬＴＥ用に具体的に適合されている。用語「コードワード」は、送信用にフォーマットされたユーザデータを表す。用語「レイヤ」は、ストリームと同じ意味である。マルチ入力マルチ出力（ＭＩＭＯ）においては、少なくとも２つのレイヤが使用されなければならない。４つまで使用可能である。レイヤ数は、常にアンテナ数以下となる。用語「事前符号化」は、送信前にレイヤ信号を修正する。これは、ダイバーシティ、ビームステアリング、又は空間多重化において行われてもよい。ビーム形成は、チャネルの出力で、キャリアレベル対干渉・雑音比（ＣＩＮＲ）が最良のキャリアを与える送信信号を修正する。
【０００７】
ＬＴＥにおいて、インクリメンタル・リダンダンシー（incremental redundancy）でのハイブリッド自動リピート要求（ＨＡＲＱ）が使用される。ＨＡＲＱは、受信デバイスにおいて破損パケットを破棄するよりも格納することにより、通信ネットワークにおけるエラーからのより早いリカバリを可能とする技術である。再送信されたパケットがエラーとなった場合であっても、良好なパケットが複数の破損したパケットの組み合わせから抽出される。コードワードの同一の部分を再送信する代わりに、チェース合成で余得を生ずる、異なるリダンダンシーバージョンが再送信される。理想的には、受信側でフルバッファが利用可能であれば、コードワード全ての受信したソフトバージョンが格納される。しかしながら、ユーザ装置の複雑性やコスト関連に起因して、ユーザ装置のソフトバッファサイズが限定される。より高いレートの送信においては、より大きいコードワードが送信機から送信される場合、ユーザ装置は、バッファスペースを限定し、完全コードワードを格納することができない。基地局は、格納できない符号ビットをユーザ装置へ送信することもあり、さらに悪く、ユーザ装置は、それらが他のビットであることを知らず、事前に格納されたビットと混乱することになる。
【０００８】
図１は、簡易的な完全コードワード（完全符号ワード）と、ユーザが格納することができるソフトビット数とを示す。図１は、ユーザ装置によって格納される復号化トランスポートブロック及び符号化ビット、即ち、ソフトバッファサイズを示す。図１に示すように、完全コードワードは、システマテック・ビットとパリティ・ビットを含み、ソフトバッファ・サイズはシステマテック・ビットの全てと、パリティ・ビットの一部とを含む。パリティ・ビットは、結果的に設定されたビット数が奇数又は偶数となることを保証するソースビットのグループに加えられるビットである。基地局及びユーザ装置はソフトバッファサイズについての同一の理解を有し、その後、基地局はユーザ装置が格納することができないコードビットを送信しないであろう。代わりに、ユーザ装置によって格納されたそれらのコードビットを取得し、送信（再送信）に利用する。これは図２の巡回バッファに示される。用語「巡回バッファ」は、着信データを格納するために使用するメモリの領域を示す。バッファが満たされると、新たなデータは、バッファの書き込み開始位置において、古いデータに上書きされるように書き込まれる。コードワード、即ち、システマテック・ビット及びパリティ・ビットは、巡回バッファに格納される。図２は、巡回バッファから取り出された第１の送信及び再送信に使用されるビットを示す。巡回バッファのサイズは、ユーザ装置のソフトバッファサイズと一致する。図２の完全な巡回は、ソフトバッファサイズに対応し、コードワードの全体には対応していない。第１の送信において、符号化レートに依存して、一部の又は全てのシステマテック・ビットとのみ、或いは、一部の又は全てのシステマテック・ビットとパリティ・ビットの一部が送信される。再送信においては、開始位置が変更され、巡回の他の部分、例えば巡回バッファの他のポイントに対応するビットが送信される。
【０００９】
周波数分割双方向（ＦＤＤ）を用いたＬＴＥリリース８において、各ユーザ装置は、コンポーネント・キャリア当たり８つまでのＨＡＲＱプロセスを有する。各ＨＡＲＱは、二重コードワードＭＩＭＯ送信をサポートする２つまでのサブプロセスを含む。ＬＴＥリリース８は、設定されたＨＡＲＱプロセス数に等しい利用可能なソフトバッファを分割する。分割されたソフトバッファのそれぞれは、受信したコードワードのソフト値を格納するために使用されうる。二重コードワードＭＩＭＯ送信の場合、分割されたソフトバッファは、さらに、２つの受信したコードワードのソフト値を格納するために等しく分割される。
【００１０】
３ＧＰＰにおいて、ソフトバッファサイズの配置は、以下のように規定される。
【００１１】
ｒ番目の符号化ブロックに対する巡回バッファｗｋは以下のように生成される。
【００１２】
【数１】
0006012708.tif 000002
【００１３】
ここで、ＫΠは定数である。
【００１４】
巡回バッファは、長さＫｗ＝３ＫΠで与えられる。
【００１５】
ＮＩＲビットによるトランスポートブロックにおけるソフトバッファサイズを示し、Ｎｃｂビットによるｒ番目のコードブロックにおけるソフトバッファサイズを示す。サイズＮｃｂは以下のように得られる。ここでＣはコードブロック数である。
【００１６】
【数２】
0006012708.tif 000003
【００１７】
ここで、Ｎｓｏｆｔはソフトチャネルビットの総数である。
ＫＭＩＭＯは、ユーザ装置が送信モード３、４又は８に基づき物理ダウンリンク共通チャネル（ＰＤＳＣＨ）を受信するように構成される場合は２であり、そうでない場合は１である。
ＭＤＬ＿ＨＡＲＱはＤＬ  ＨＡＲＱプロセスの最大数である。
Ｍｌｉｍｉｔは８に等しい定数である。
【００１８】
単一コードワード送信モードに対するソフトバッファ（ＳＢ）配置を図３に示す。図３は、８つの配置されたソフトバッファを示し、ＳＢ０が第１のコードワード用の第１のソフトバッファを示し、ＳＢ１は第２のコードワード用の第２のソフトバッファを示し、ＳＢ２は第３のコードワード用の第３のソフトバッファを示す。図３は、物理ダウンリンク共通チャネル（ＰＤＳＣＨ）送信モードがモード３、４又は８以外の場合のＬＴＥリリース８におけるソフトバッファの配置を示す。各コードワードに対して予約されたバッファが存在することもわかる。
【００１９】
二重コードワード送信モデルに対するソフトバッファ配置を図４に示す。図４は、１６の配置されたソフトバッファを示し、ＳＢ０ａは第１のコードワード用の第１のバッファを示し、ＳＢ０ｂは第２のコードワード用の第２のバッファを示し、ＳＢ１ａは第３のコードワード用の第３のバッファを示し、ＳＢ１ｂは第４のコードワード用の第４のバッファを示す。ソフトバッファはコードワードに適用する。コードワードはトランスポートブロックに関連付けられた符号化ビットに対して使用される用語である。図４はＰＤＳＣＨ送信モードが３、４又は８の場合のＬＴＥのリリース８におけるソフトバッファ配置を示す。送信モードは以下で詳細に説明する。
【００２０】
各コードワードに対して予約されたバッファは、前回の動作ケースの半分のみである。ソフトバッファ制限の問題は、二重コードワードＭＩＭＯ送信動作において特に深刻である。この制限は、インクリメンタル・リダンダンシー再送信から得られる利得をソフト合成の有効性を減少させる。
【００２１】
＜キャリア・アグリゲーション＞
ＬＴＥリリース８は、２０メガ・ヘルツ（ＭＨｚ）までの帯域幅をサポートする。しかし、国際モバイル通信アドヴァンスド（ＩＭＴ−Ａｄｖａｃｅｄ）の要求に合わせるために、３ＧＰＰは、ＬＴＥリリース１０から動作を開始した。ＬＴＥリリース１０の一部は、２０ＭＨｚよりも大きい帯域幅をサポートすることである。ＬＴＥリリース１０における重要な要求は、スペクトル互換性を含む、ＬＴＥリリース８と過去の互換性を保証することである。結果として、２０ＭＨｚより広いＬＴＥリリース１０のキャリアは、ＬＴＥリリース８のユーザ装置へのより少ないＬＴＥキャリア数として現れているかもしれない。そのようなキャリアのそれぞれは、コンポーネント・キャリア又はセルとして参照されうる。ＬＴＥリリース１０展開の初期では、多くのＬＴＥレガシーユーザ装置と比較してＬＴＥリリース１０対応のユーザ装置がより少ない数となることが予想される。したがって、レガシーユーザ装置によってワイドキャリアの有効な使用を保証することが望まれる。つまり、レガシーユーザ装置がＬＴＥリリース１０キャリアの帯域幅の大部分においてスケジューリングされうるキャリアを実装する可能性がありうるということである。達成する1つの方法は、キャリア・アグリゲーションを使用することであろう。
【００２２】
キャリア・アグリゲーションは、ＬＴＥリリース１０をサポートするユーザ装置が、ＬＴＥリリース８のキャリアと同一の構造を有するか又は少なくとも一部において有する複数のコンポーネント・キャリアを受信してもよいことを暗示する。図５にキャリア・アグリゲーションを示す。図５のｘ軸は５つのコンポーネント・キャリアに使用されるスペクトル幅を示し、ｙ軸は周波数単位当たりのエネルギーを示す。
【００２３】
＜キャリア・アグリゲーションにおけるソフトバッファオペレーション＞
ＬＴＥにおいて、各コンポーネント・キャリアＨＡＲＱプロセスのセットで動作する。トータルソフトバッファメモリは複数のコンポーネント・キャリアから共有される必要があるため、コンポーネント・キャリア当たりのソフトバッファサイズは、コンポーネント・キャリアの構成数と、各コンポーネント・キャリアごとのＭＩＭＯ送信モードの構成数とに従って変えてもよい各コードワードにおける利用可能なソフトバッファサイズはまた、ソフトバッファがどのように分割され、全てのコードワードがどのように配置されるかに依存する。
【００２４】
＜ＬＴＥサポートのマルチアンテナ＞
マルチアンテナ機能は、ＬＴＥのリリース８において既に含まれており、高速データレート、改良されたカバレージや性能を可能とする重要なものである。送受信でのマルチアンテナは、異なる方法で使用されうる。ダイバーシティ技術は、リンクのロバスト性を改良するために使用される。ビーム形成技術は、カバレージを改良するために使用されうる。空間多重化は、リンクの空間効率を高める手段を提供し、適切に設計されればシステム全体の性能を改良する。ピーク・レートは、空間多重化を用いて実質的に増大され、リンクの最小送受信アンテナ数に比例して理想的に増大され、信号対雑音比（ＳＮＲ）が十分に高く、チャネル条件が有益であることが提供される。実利得は高いチャネル依存であり、それらは、関連リンクの高いＳＮＲや有益な干渉状況を必要とするが、ＳＮＲが十分に高ければ実質的に改善されうる。例示は低いシステム負荷のシナリオ又はユーザ装置がセルセンターに近い位置にある場合である。
【００２５】
ＬＴＥリリース８のダウンリンクは、事前符号化をベースとしたコードブックを介して５レイヤまでの単一のユーザＭＩＭＯ（ＳＵ−ＭＩＭＯ）空間多重化をサポートする。さらに、単一レイヤ送信でのビーム形成と同様に、送信ダイバーシティモードは、ＬＴＥリリース８のダウンリンクでサポートされる。ＬＴＥリリース９において、高ダウンリンク送信モードは、二重レイヤ送信もサポートするように拡張されたビーム形成機能と、異なるレイヤが異なるユーザへ送信されるように提案されたマルチユーザＭＩＭＯ（ＭＵ−ＭＩＭＯ）とを導入している。ＬＴＥリリース８／９でサポートされるアップリンクマルチアンテナは、全てのＵＥカテゴリで動作するユーザ装置のアンテナ選択を制限する。ＵＥカテゴリは以下で詳細に説明する。
【００２６】
ＬＴＥリリース８のユーザ装置は、基地局がサポートする最小数と、ユーザ装置がサポートする最小数とに基づいてレイヤ数を想定する。ユーザ装置は、基地局が送信しているセル特定参照信号（ＣＲＳ）アンテナポートの数を盲目的に検出することによって基地局がサポートするレイヤ数を決定し、或いは、ハンドオーバー（ＨＯ）の場合は、ＨＯコマンドでターゲットセルがサポートするアンテナポートの数についての情報を受信することによって基地局がサポートするレイヤ数を決定する。
【００２７】
マルチアンテナ送信は、ＬＴＥリリース８において重要な特徴である。ＬＴＥは以下の８つの送信モード（ＴＭ）をサポートする。
・モード１：シングルアンテナポート
・モード２：送信ダイバーシティ
・モード３：開ループ空間多重化
・モード４：閉ループ空間多重化
・モード５：ＭＵ−ＭＩＭＯ
・モード６：閉ループ空間多重化、シングルレイヤ
・モード７：シングルアンテナポート、ユーザ装置特定参照信号
・モード８：ユーザ装置特定参照信号でのシングル又はデュアルレイヤ送信
ＬＴＥアドヴァンスド、即ち、ＬＴＥリリース１０は、モード１−８に加えてモード９を含む。モード９は、ランク８までの閉ループＳＵ−ＭＩＭＯと高ＭＵ−ＭＩＭＯサポートとをサポートするマルチレイヤ送信モードである。
【００２８】
＜ＵＥカテゴリシグナリング＞
ユーザ装置は、全体性能やユーザ装置の性能を定義する、いわゆるＵＥカテゴリ又はＵＥクラスの異なるユーザ装置カテゴリでカテゴライズされる。以下では、ユーザ装置カテゴリを、ＵＥカテゴリと称する。ＵＥカテゴリは、基地局がユーザ装置と正しく通信を行うことができることを保証する必要がある。基地局にＵＥカテゴリを知らせることによって、ユーザ装置の性能を決定し、それに従って通信を行うことができる。
【００２９】
ＵＥカテゴリが全体性能とユーザ装置の性能とを定義するため、基地局では基地のユーザ装置のプロセスの機能を用いて通信を行うことができる。したがって、基地局は、ユーザ装置の性能を超えて通信を行うことがないであろう。バッファサイズの種々の値が各ＵＥカテゴリに関連付けられる。
【００３０】
ＬＴＥリリース８／９において、５つのＵＥカテゴリ１−５があり、ＬＴＥリリース１０はさらに３つのカテゴリ６−８を有する。
【００３１】
ＬＴＥリリース１０のＵＥカテゴリの定義は、ＵＥカテゴリ数が市場においてユーザ装置実装変数のフラグメンテーションを避けるように制限された、ＬＴＥリリース８／９で使用される原理に基づいて構築される。ＬＴＥリリース１０のＵＥカテゴリは、ダウンリンクにおいて１０、５０、１００、１５０、３００Ｍｂｐｓから約３Ｇｂｐｓまでの範囲でのピーク・レート単位で定義される。異なるピーク・レートの実現はＵＥカテゴリの中で可能である。例えば、カテゴリ６、７において、４０ＭＨｚのキャリア・アグリゲーションでの２つのＭＩＭＯのレイヤをサポートするか、又は、２０ＭＨｚの単一のキャリアでの４つのＭＩＭＯのレイヤをサポートするかのいずれかの可能性がある。当該２つの構成は、３００Ｍｂｐｓまでサポートする。ＬＴＥリリース８／９のＵＥカテゴリは、例えばカテゴリ３のユーザ装置ごとに１０ＭＨｚ帯域幅までの２つのコンポーネント・キャリアの集合をサポートするように再利用される。追加のＵＥカテゴリが将来において定義されうることが予想される。ＬＴＥリリース１０は、ＬＴＥアドヴァンスド用の３Ｇｂｐｓについてのトータルピークデータレートをサポートする、８つのＭＩＭＯレイヤごとに２０ＭＨｚの５つのコンポーネント・キャリアの集合を合成するハイエンドＵＥカテゴリをサポートする。以下の表１はＬＴＥリリース１０でサポートされるＵＥカテゴリを示す。最左列はＵＥカテゴリ１−８を含む。次の列は、送信時間インターバル（ＴＴＩ）内で受信されたダウンリンク共有チャネル（ＤＬ−ＳＣＨ）トランスポートブロックの最大ビット数を含む。中列は、ＴＴＩ内で受信した１つのＤＬ−ＳＣＨトランスポートブロックの最大ビット数を含む。中列の右の列は、ソフトチャネルのトータルビット数を含む。最右列は、ＤＬにおける空間多重化用にサポートされた最大レイヤ数を含む。空間多重化は、マルチ送信アンテナのそれぞれからの、独立してかつ個別的に符号化されたデータ信号を送信するＭＩＭＯ無線通信での送信技術である。
【００３２】
【表１】
0006012708.tif 000004
【００３３】
ＵＥカテゴリのユーザ装置機能シグナリングが以下の方法で定義される。ＬＴＥリリース８／９カテゴリ１−５は無線リソースコントロール（ＲＲＣ）プロトコルを介して、ユーザ装置から基地局へ信号伝達される。ＲＲＣプロトコルは、ユーザ装置とＵＴＲＡＮとの間でレイヤ３の制御プレーンシグナリングを扱う。メッセージの受信側は基地局であり、基地局は受信した情報を使用する。しかしながら、ユーザ装置は、基地局のリリースを認識していない。したがって、レガシーネットワークで動作することができるように、ユーザ装置は、ＲＲＣプロトコルのＬＴＥリリース８／９部分を使用するＬＴＥリリース８／９ＵＥカテゴリ（１−５）と、ＲＲＣプロトコルのＬＴＥリリース１０部分を使用するＬＴＥリリースＵＥカテゴリ（６−８）との両方を報告するであろう。ＬＴＥリリース１０ＵＥカテゴリはＬＴＥリリース１０対応の基地局によって理解されるが、ＬＴＥリリース８／９対応の基地局からは理解されない。さらに、ＬＴＥリリース１０対応のユーザ装置は、サポートされたコンポーネント・キャリアの集合数と同様に、アップリンク（ＵＬ）とダウンリンク（ＤＬ）でのサポートされるサポートＭＩＭＯレイヤ数について、周波数バンドコンビネーション単位で基地局に知らせる。この情報は、ＬＴＥリリース１０対応の基地局によって理解されるだけである。
【００３４】
一例として、ＬＴＥリリース１０対応のユーザ装置、例えばカテゴリ６は、ダウンリンク（ＤＬ）で４つのＭＩＭＯレイヤまでサポートすることを、ＬＴＥリリース１０対応の基地局に示す。ＬＴＥリリース１０対応のユーザ装置は、さらにカテゴリ値で送信される情報エレメント（ＩＥ）の当該ＭＩＭＯレイヤ情報を提供してもよい。当該情報エレメントは、ＬＴＥリリース１０によって理解されるが、ＬＴＥリリース８・９によっては無視される。ＤＬでの４つのＭＩＭＯレイヤをサポートするＬＴＥリリース８対応の基地局は、ＬＴＥリリース８／９、例えばカテゴリ４を通じてユーザ装置を特定し、従ってＤＬ  ＭＩＭＯの２つのレイヤのみをサポートするユーザ装置を想定する。
【００３５】
ユーザ装置が基地局にリリースを認識していないため、古いリリース、例えば、ＬＴＥリリース８／９カテゴリ、例えばカテゴリ４、又は、新しいリリース、例えばＬＴＥリリース１０カテゴリ、例えばカテゴリ６に従って動作するかどうかが分からない。これは、カテゴリに従ってユーザ装置が異なって動作する場合に深刻な影響をもたらす。この例において、４つのレイヤＭＩＭＯに従ったセル参照信号（ＣＲＳ）パターンを検出し、２より大きいランク指標、チャネル品質指標（ＣＱＩ）及び事前符号化マトリクス・インデックス（ＰＭＩ）などの、４つのレイヤのＤＬ  ＭＩＭＯ動作をサポートする基地局へフィードバックするため、ＤＬにおいて４つのレイヤＭＩＭＯに従って基地局が操作することを想定するかもしれない。しかし、これは、基地局が、ＬＴＥリリース８／９カテゴリ、例えばユーザ装置によって示されるカテゴリ４に従って制御信号を復号化する際に、最大ランク２を想定するため、破損したアップリンク（ＵＬ）制御シグナリングを招いてしまう。ＵＬデータがＵＬ制御シグナリングとともに多重化される場合は破損したＵＬデータを招くこともある。
【００３６】
他の例示として、ＬＴＥリリース１０対応のユーザ装置は、ＵＥカテゴリによって必要とされるよりも多いＤＬ  ＭＩＭＯレイヤ数をサポートしてもよい。ユーザ装置が、より多いＤＬ  ＭＩＭＯレイヤ数で動作しない基地局と、より多いＤＬ  ＭＩＭＯレイヤ数に従って動作する場合、上述と同様の問題が生じする。
【発明の概要】
【００３７】
本発明は、上述の問題に鑑みて成されたものであり、通信ネットワークにおいてユーザ装置と基地局との間の改善された通信を提供することを目的とする。
【００３８】
第１の態様によれば、上記目的は、通信ネットワークにおいてユーザ装置と通信する基地局における方法によって達成される。基地局は、少なくとも２つのユーザ装置カテゴリの選択に従ってユーザ装置と通信するように構成される。選択されたユーザ装置カテゴリについての情報に基づき、基地局は、基地局によってサポートされる第１の最大送信レイヤ数を決定する。基地局は、決定された第１の最大送信レイヤ数までと、選択されたユーザ装置カテゴリとに従って、ユーザ装置と通信する。
【００３９】
第２の態様によれば、上記目的は、通信ネットワークにおいて基地局と通信するためのユーザ装置における方法によって達成される。ユーザ装置は、選択可能な少なくとも２つのユーザ装置カテゴリの選択に従って基地局と通信するように構成される。選択されたユーザ装置カテゴリについての情報に基づき、ユーザ装置は、選択されたユーザ装置カテゴリについての情報に基づき、ユーザ装置によってサポートされる第１の最大送信レイヤ数を決定する。ユーザ装置は、第１の最大送信レイヤ数までと、選択されたユーザ装置カテゴリとに従って、基地局と通信する。
【００４０】
第３の態様によれば、上記目的は、通信ネットワークにおいてユーザ装置と通信する基地局によって達成される。基地局は、少なくとも２つのユーザ装置カテゴリの選択に従ってユーザ装置と通信するように構成される。基地局は、選択されたユーザ装置カテゴリについての情報に基づき、基地局によってサポートされる第１の最大送信レイヤ数を決定する決定部を備える。基地局は、第１の最大送信レイヤ数までと、選択されたユーザ装置カテゴリとに従って、ユーザ装置と通信する通信部を備える。
【００４１】
第４の態様によれば、上記目的は、通信ネットワークにおいて基地局と通信するためのユーザ装置によって達成される。ユーザ装置は、選択可能な少なくとも２つのユーザ装置カテゴリの選択に従って基地局と通信するように構成される。ユーザ装置は、選択されたユーザ装置カテゴリについての情報に基づき、ユーザ装置によってサポートされる第１の最大送信レイヤ数を決定する決定部を備える。ユーザ装置は、第１の最大送信レイヤ数までと、選択されたユーザ装置カテゴリとに従って、基地局と通信する通信部を備える。
【００４２】
基地局及びユーザ装置が最大サポートＤＬ  ＭＩＭＯレイヤ数の同一の理解を有しているため、通信ネットワークにおけるユーザ装置と基地局との間の改善された通信が提供される。
【００４３】
種々の実施形態は、以下に示す完全なリストではないが一部を示す、多くの利点を提供する。
【００４４】
本実施形態に係る利点は、ＬＴＥリリース１０対応のユーザ装置がレガシーネットワークにおいて動作することを許容する。本実施形態によれば、ＵＥカテゴリで必要な値より大きいＤＬ  ＭＩＭＯレイヤ数を有するＬＴＥリリース１０対応のユーザ装置がネットワークにおいて動作することを許容する。
【００４５】
本実施形態に係る他の利点は、基地局及びユーザ装置が最大サポートＤＬ  ＭＩＭＯレイヤ数の同一の理解を有していることである。基地局は、サポートしているよりもより大きいＤＬ  ＭＩＭＯレイヤを有するユーザ装置をスケジューリングすることを避けることができる。ユーザ装置は、基地局が理解しないＣＳＩフィードバックを報告しないであろう。これは２つの利点を有する。第１に、基地局は、ＤＬにおいて、ＤＬ  ＭＩＭＯレイヤの正しい数をスケジュールすることができ、それにより、ユーザ装置は、その現在のチャネルサポートの数又はその性能によってサポートされる実際の数でスケジュールされるのみである。第２に、ＣＳＩフィードバックがＰＵＷＳＣＨでデータとともに多重化されて送信される場合、ＰＵＳＣＨでのデータは、ＣＳＩレポートのサイズが基地局によって知られている場合に復号化されうる。
【００４６】
本実施形態の他の利点は、通信ネットワークにおいて改善されたサービスエリアや性能を提供することである。
【００４７】
本実施形態のさらなる利点は、破損したＵＬ制御シグナリングのリスクを低減することである。
【００４８】
本実施形態は、前述した特徴及び利点に限定されない。当業者は以下の詳細な説明を参照することにより追加の特徴及び追加の利点について理解するであろう。
【図面の簡単な説明】
【００４９】
以下では、種々の実施形態を示す添付の図面を参照しながら、発明の詳細な説明を記載する。
【図１】ユーザ装置によって格納される符号化されたトランスポートブロック及び暗号化されたビット、例えばソフトバッファサイズを示す概略図である。
【図２】巡回バッファから得られる第１の送信及びその他の再送信において使用されるビットを示す概略図である。
【図３】ＰＤＳＣＨ送信モードがモード３、４又は８以外の場合におけるＬＴＥのリリース８におけるソフトバッファの配置を示す概略図である。
【図４】ＰＤＳＣＨ送信モードがモード３、４又は８の場合におけるＬＴＥのリリース８におけるソフトバッファの配置を示す概略図である。
【図５】キャリア・アグリゲーションを示す図である。
【図６】本実施形態に係る通信ネットワークを示す概略図である。
【図７ａ】、
【図７ｂ】、
【図７ｃ】、
【図７ｄ】本実施形態に係る方法を示すフローチャートである。
【図８】本実施形態に係る基地局の方法を示すフローチャートである。
【図９】本実施形態に係るユーザ装置の方法を示すフローチャートである。
【図１０】本実施形態に係る基地局を示すブロック図である。
【図１１】本実施形態に係るユーザ装置を示すブロック図である。
【図１２】本実施形態に係る基地局及びユーザ装置を示すブロック図である。
【発明を実施するための形態】
【００５０】
以下では、本実施形態における前述の及び他の目的、特徴、及び利点について、添付の図面に示されたより好ましい実施形態より詳細に説明する。なお、添付の図面において、同一の参照文字は、各図面において同一部分を示す。各図面は、明瞭であることを目的として、必ずしも所定の機能のスケールや寸法を限定しているわけではない。重要なことは、本発明の原理を示すことである。
【００５１】
図６は、本実施形態に係る通信ネットワーク６００を示す。通信ネットワーク６００は、いくつかの実施形態において、例えばＬＴＥ、ＬＴＥアドヴァンスド、ＷＣＤＭＡ、ＧＳＭ、ＷｉＭＡＸ、又は、他の３ＧＰＰ無線アクセス技術などの１つ以上のアクセス技術に適用されうる。
【００５２】
通信ネットワーク６００は、セルを管理する基地局６０３を備える。基地局６０３は、セルに存在するユーザ装置６０５と無線キャリア６０４を介して通信することができるＮｏｄｅＢ、ｅＮｏｄｅＢ、又は他のネットワークユニットなどの基地局であってもよい。基地局６０３は、ＬＴＥリリース８／９又はＬＴＥリリース１０対応基地局であってもよい。
【００５３】
ユーザ装置６０５は、任意の適切な通信デバイス、又は、無線チャネルを介して基地局と通信することができる通信機能を有する通信デバイスであればよく、例えば、モバイル電話機、タブレットコンピュータ、スマートフォン、携帯情報端末（ＰＤＡ）、ラップトップ、ＭＰ３プレイヤ若しくはポータブルＤＶＤ若しくは同様のコンテンツデバイス、デジタルカメラ、又は、ＰＣなどの固定デバイスに限定されるわけではない。ＰＣは、ブロードキャスト又はマルチキャストメディアの終端装置として移動局（モバイルステーション）を介して接続されてもよい。ユーザ装置６０５は、電子フォトフレーム、心臓監視装置、侵入監視装置若しくは他の監視装置、気象データ監視システム、車両、車若しくはトランスポート通信装置などに組み込まれた通信デバイスであってもよい。ユーザ装置６０５は、いくつかの図面においてＵＥとして参照される。ユーザ装置６０５は、ＬＴＥリリース８／９又はＬＴＥリリース１０対応ユーザ装置であってもよい。
【００５４】
ＬＴＥリリース８／９のユーザ装置６０５は、ＵＥカテゴリ１−５に対応する。前述の表１に示すように、他のタイプはＵＥカテゴリ６−８に対応するユーザ装置６０５である。これは、ＬＴＥリリース１０対応のユーザ装置として参照されうる。この場合において、ユーザ装置６０５は、ＬＴＥリリース対応の基地局６０３であることとは関係なく、常に、基地局６０３へ２つのＵＥカテゴリを信号伝達する。例えば、ＵＥカテゴリ６のユーザ装置６０５はまた、ＵＥカテゴリ５を信号伝達する。基地局６０３がＬＴＥリリース８／９に対応すれば、基地局６０３は、ユーザ装置６０５がＵＥカテゴリ５に対応することを理解するであろうが、ユーザ装置６０５がＵＥカテゴリ６の信号伝達を行う場合には、より古いリリースの基地局６０３がＵＥシグナリングの部分を理解せず、単に破棄することになるであろう。
【００５５】
いくつかの実施形態に係る通信ネットワークにおける通信方法が、図７ａ乃至図７ｄに示すシグナリングのダイヤグラムとフローチャートとを組み合わせに示される例示を参照して説明される。
【００５６】
図７ａは、ユーザ装置６０５がＬＴＥリリース８／９及びＬＴＥリリース１０に対応する例示の実施形態を示す。基地局６０３は、ＬＴＥ８／９に対応する。デフォルトとして、ユーザ装置６０５は、最大サポートＤＬ  ＭＩＭＯレイヤ数がＬＴＥリリース８／９のＵＥカテゴリと関連付けられた数であると想定される。これは、ユーザ装置６０５がＬＴＥリリース８／９及びＬＴＥリリース１０をサポートすることを基地局６０３が知っているかどうかを、ユーザ装置６０５が分からないためである。ＬＴＥリリース８／９対応の基地局６０３は、ＬＴＥリリース８／９カテゴリからの必要な値のように、最大サポートＤＬ  ＭＩＭＯレイヤ数を想定する。当該方法は、以下のステップを含む。なお、何れかのステップは以下で説明する以外の他の適切なステップであってもよい。
【００５７】
＜ステップ７０１ａ＞
ユーザ装置６０５は、ＬＴＥリリース８／９及びその他のＬＴＥリリース１０に関連する、異なるリリースにおける、少なくとも２つの異なるＵＥカテゴリに従って実行するその性能を、基地局６０３へ伝達する。ＵＥカテゴリについての情報に加えて、ユーザ装置６０５は、各カテゴリにおける、最大サポートＤＬ  ＭＩＭＯ数についての情報、例えば、第１の最大送信レイヤ数及び第２の最大送信レイヤ数を伝達する。
【００５８】
例えば、ＬＴＥリリース８／９に関連する第１のＵＥカテゴリはカテゴリ３であってもよく、ＬＴＥリリース１０に関連する第２のＵＥカテゴリはカテゴリ８であってもよい。前述した表１からも分かるように、カテゴリ３に対する最大サポートＤＬ  ＭＩＭＯ数は、２であり、カテゴリ６に対する最大サポートＤＬ  ＭＩＭＯレイヤ数は８である。
【００５９】
ユーザ装置６０５は、サポートする最大ＤＬ  ＭＩＭＯレイヤ数を示すＵＥ性能パラメータを有するように構成されうる。当該ＵＥ性能パラメータは、明示的なパラメータでありうる。デフォルトとして、当該パラメータは、ＬＴＥリリース８／９ＵＥカテゴリにおいて最大サポートＤＬ  ＭＩＭＯレイヤ数に対応する。前述の例を用いて、ＬＴＥリリース８／９ＵＥカテゴリはカテゴリ３であり、対応する最大サポートＤＬ  ＭＩＭＯレイヤ数は２である。
【００６０】
＜ステップ７０２ａ＞
前述したように、基地局６０３は、本例においてＬＴＥリリース８／９に対応し、従って、基地局６０３は、ＬＴＥリリース８／９ＵＥカテゴリに従って、最大サポートＤＬ  ＭＩＭＯレイヤ数を決定する。
【００６１】
基地局６０３は、ユーザ装置６０５へ１つ以上の性能パラメータを信号伝達する。ＵＥ性能パラメータは、ＬＴＥリリース８／９に従って、決定された最大サポートＤＬ  ＭＩＭＯレイヤ数を含む。
【００６２】
例えば、基地局６０３は、ＵＥカテゴリ４に対応し、対応するＤＬ  ＭＩＭＯレイヤは２である。したがって、基地局６０３は、ユーザ装置６０５へ最大サポートＤＬ  ＭＩＭＯレイヤ数である２を信号伝達する。
【００６３】
＜ステップ７０３ａ＞
ユーザ装置６０５及び基地局６０３は、当該ＵＥカテゴリに対する最大サポートＤＬ  ＭＩＭＯレイヤ数までと、ＬＴＥリリース８／９ＵＥカテゴリとに従って通信する。例えば、ＵＥカテゴリは５であり、最大サポートＤＬ  ＭＩＭＯレイヤ数は４である。
【００６４】
図７ｂは、ユーザ装置６０５がＬＴＥリリース８／９及びＬＴＥリリース１０をサポートする一実施形態について示す。図７ｂは、基地局６０３がＬＴＥリリース１０をサポートする図７ａとは異なり、図７はステップ７０３ｂを含む。デフォルトとして、ユーザ装置６０５は、最大サポートＤＬ  ＭＩＭＯレイヤ数がＬＴＥリリース８／９に関連付けられたＵＥカテゴリに関する数であることを想定する。前述の表１に示されるように、例えば、ＬＴＥリリース８／９のＵＥカテゴリが３であれば、関連付けられた最大サポートＤＬ  ＭＩＭＯレイヤ数は２である。
【００６５】
当該方法は、以下のステップを含む。なお、何れかのステップは以下で説明する以外の他の適切なステップであってもよい。
【００６６】
＜ステップ７０１ｂ＞
当該ステップは、図７ａのステップ７０１ａに対応する。
【００６７】
ユーザ装置６０５は、ＬＴＥリリース８／９関連するか、その他のＬＴＥリリース１０に関連する、少なくとも２つの異なるリリースの異なるＵＥカテゴリに従って動作するその性能を、基地局６０３に信号伝達する。ＵＥカテゴリについての情報に加えて、ユーザ装置６０５は、各カテゴリに対する最大サポートＤＬ  ＭＩＭＯレイヤ数、例えば、第１の最大送信レイヤ数及び第２の最大送信レイヤ数についての情報を信号伝達する。
【００６８】
例えば、ＬＴＥリリース８／９に関連する第１のＵＥカテゴリがカテゴリ３であり、ＬＴＥリリース１０に関連する第２のＵＥカテゴリがカテゴリ６である。前述の表１に示されるように、カテゴリ３における最大サポートＤＬ  ＭＩＭＯレイヤ数は２であり、カテゴリ６における最大サポートＤＬ  ＭＩＭＯレイヤ数は４である。
【００６９】
ユーザ装置６０５は、サポートする最大ＤＬ  ＭＩＭＯレイヤ数を示すＵＥ性能パラメータを有するように構成されうる。当該ＵＥ性能パラメータは、明示的なパラメータであってもよい。デフォルトとして、当該ｐらめーたは、ＬＴＥリリース８／９ＵＥカテゴリにおける最大サポートＤＬ  ＭＩＭＯレイヤ数に対応する。上述した例を用いると、ＬＴＥリリース８／９ＵＥカテゴリは３であり、対応する最大サポートＤＬ  ＭＩＭＯレイヤ数は２である。
【００７０】
＜ステップ７０２ｂ＞
当該ステップは、図７ａのステップ７０２ａに対応する。
【００７１】
前述したように、基地局６０３は、ＬＴＥリリース１０ＵＥをサポートする。ＬＴＥリリース１０をサポートする基地局６０３は、ステップ７０１ｂにおいて、ユーザ装置６０５によって示される各ＬＴＥリリース８／９ＵＥカテゴリに関連する数よりも大きい最大ＤＬ  ＭＩＭＯレイヤ数で動作する。
【００７２】
例えば、基地局６０３は、最大ＤＬ  ＭＩＭＯレイヤ数８に関連付けられた、ＵＥカテゴリ８に対応してもよい。基地局６０３によってサポートされるカテゴリ８における最大ＤＬ  ＭＩＭＯレイヤ数は、ＵＥカテゴリ６のユーザ装置６０５によって示されるＬＴＥリリース１０における最大ＤＬ  ＭＩＭＯレイヤ数４よりも８＞４となり大きい。その後、基地局６０３は、ユーザ装置６０５に対して、ＵＥカテゴリ６のＬＴＥリリース１０のユーザ装置６０５に従ったＭＩＭＯレイヤ数を超えるＭＩＭＯモードに従って動作する、例えば、ＤＬ  ＭＩＭＯレイヤ数８までに従って動作するように要求するために、ＤＬ  ＭＩＭＯレイヤ指標をユーザ装置６０５へ信号伝達する。
【００７３】
＜ステップ７０３ｂ＞
ＬＴＥリリース１０のＵＥカテゴリ８における最大ＤＬ  ＭＩＭＯレイヤ数がＬＴＥリリース１０のＵＥカテゴリ６における最大ＤＬ  ＭＩＭＯレイヤ数よりも大きくなるように決定されると、ユーザ装置６０５は、ステップ７０２ｂにおいて、基地局６０３に対して、基地局６０３によって示される最大ＤＬ  ＭＩＭＯレイヤ数に従ったランク、ＣＱＩ、ＰＭＩ及び事前符号化タイプ指標（ＰＴＩ）を取得して報告する。ランクは、ユーザ装置６０５がスケジュールされうることを想定したレイヤ数を決定する。ＰＴＩは、ユーザ装置が報告するＰＭＩ及びＣＱＩのタイプを設定する。ＰＭＩは、ビームフォーミングに適用するのに最適とユーザ装置６０５が想定するアンテナウエイトを示す。ＣＱＩは、ユーザ装置６０５が扱うことができる符号化レートに関連する。ユーザ装置６０５が基地局６０３が考えるよりも多くのレイヤ数を使用することを想定している場合、ユーザ装置６０５は、高すぎるランクを報告するかもしれない。この場合、基地局６０３は、当該ランクをを理解することができず、他のものとして情報を誤って理解するであろう。当該情報がユーザ装置６０５が報告したランクに基づく場合には、ＰＴＩ、ＣＱＩ及びＰＭＩのいずれも理解することができないであろう。
【００７４】
基地局６０３は、ＰＴＩ、ＣＱＩ及びＰＭＩを受信し、ＤＬでリンクアダプテーションを行う情報を使用する（図７ｂには不図示）。
【００７５】
＜ステップ７０４ｂ＞
当該ステップは図７ａのステップ７０３ａに対応する。
【００７６】
ユーザ装置６０５及び基地局６０３は、ＬＴＥリリース１０ＵＥカテゴリと、当該ＬＴＥリリース１０ＵＥカテゴリにおける最大サポートＤＬ  ＭＩＭＯ数までとに従って通信する。
【００７７】
図７ｃは、ユーザ装置６０５がＬＴＥリリース８／９及びＬＴＥリリース１０をサポートする実施形態の一例である。基地局６０３は、ＬＴＥリリース１０に対応する。図７ｃと図７ｂとの違いは、基地局６０３がそれぞれのＵＥカテゴリからの要求値より大きくないＤＬ  ＭＩＭＯレイヤ数で動作することにより、ユーザ装置６０５へＤＬ  ＭＩＭＯレイヤ指標を信号伝達しないことである。デフォルトとして、ユーザ装置６０５は、最大サポートＤＬ  ＭＩＭＯレイヤ数がＬＴＥリリース８／９に従ったＵＥカテゴリからの最大送信レイヤ数と同一であることを想定してもよい。ＬＴＥリリース１０の基地局６０３に関して、レイヤ数は、表１に示すように、１から８の間のレイヤ数であってもよい。実際にどのように構築して、使用するかの、操作者の選択及び基地局ベンダーの選択である。３ＧＰＰでは、ユーザ装置６０５のデフォルト値のみを特定し、基地局６０３については特定しない。要するに、ユーザ装置６０５は、”頭が悪く”何をすべきかを指示する必要がある。基地局６０３は、これに基づき物事を把握している
当該方法は、以下のステップを含む。なお、何れかのステップは以下で説明する以外の他の適切なステップであってもよい。
【００７８】
＜ステップ７０１ｃ＞
当該ステップは、図７ａのステップ７０１ａと図７ｂの７０１ｂとに対応する。
【００７９】
ユーザ装置６０５は、ＬＴＥリリース８／９に関連するか、ＬＴＥリリース１０に関連する、異なるリリースの少なくとも２つの異なるＵＥカテゴリに従って動作する性能を基地局６０３へ信号伝達する。ＵＥカテゴリについての情報に加えて、ユーザ装置６０５は、各カテゴリに対する最大サポートＤＬ  ＭＩＭＯレイヤ数についての情報、例えば、第１の最大送信レイヤ数及び第２の最大送信レイヤ数を信号伝達する。
【００８０】
例えば、ＬＴＥリリース８／９に関連する第１のＵＥカテゴリはカテゴリ３であってもよく、ＬＴＥリリース１０に関連する第２のＵＥカテゴリはカテゴリ８であってもよい。表１に示すように、カテゴリ３に対する最大サポートＤＬ  ＭＩＭＯレイヤ数は２であり、カテゴリ６に対する最大サポートＤＬ  ＭＩＭＯレイヤ数は８である。
【００８１】
基地局６０３は、本実施例において、各ＵＥカテゴリ、即ち８カテゴリからの要求値より大きくない４であるＤＬ  ＭＩＭＯレイヤ数、即ち、カテゴリ６で動作することにより、ユーザ装置６０５へＤＬ  ＭＩＭＯレイヤ指標を信号伝達することはない。
【００８２】
＜ステップ７０２ｃ＞
当該ステップは、図７ａのステップ７０３ａと図７ｂのステップ７０４ｂとに対応する。
【００８３】
ユーザ装置６０５及び基地局６０３は、当該ＬＴＥリリース８／９ＵＥカテゴリにおける最大サポートＤＬ  ＭＩＭＯレイヤ数までと、ＬＴＥリリース１０のＵＥカテゴリとを用いて通信を行う。
【００８４】
図７ｄは、ユーザ装置６０５がＬＴＥリリース８／９及びＬＴＥリリース１０をサポートする実施形態の一例である。基地局６０３はＬＴＥリリース１０をサポートし、それぞれのＵＥカテゴリに関連付けられた数よりも大きくないＤＬ  ＭＩＭＯレイヤ数で動作する。図７ｄと図７ｃとの差異は、ＤＬ  ＭＩＭＯレイヤ数が各ＵＥカテゴリからの要求値よりも小さい場合であるにもかかわらず、図７ｄに示す一例において基地局６０５がＤＬ  ＭＩＭＯレイヤ指標をユーザ装置６０５へ信号伝達することである。当該指標は、基地局６０３において使用される最大ＤＬ  ＭＩＭＯレイヤ数についての情報を含む。デフォルトとして、ユーザ装置６０５は、最大サポートＤＬ  ＭＩＭＯレイヤ数がＬＴＥリリース８／９ＵＥカテゴリからの要求値であることを想定している。
【００８５】
当該方法は、以下のステップを含む。なお、何れかのステップは以下で説明する以外の他の適切なステップであってもよい。
【００８６】
＜ステップ７０１ｄ＞
当該ステップは、図７ａのステップ７０１ａと、図７ｂの７０１ｂと、図７ｃの７０１ｃとに対応する。
【００８７】
ユーザ装置６０５は、ＬＴＥリリース８／９に関連するか、ＬＴＥリリース１０に関連する、異なるリリースの少なくとも２つの異なるＵＥカテゴリに従って動作する性能を基地局６０３へ信号伝達する。ＵＥカテゴリについての情報に加えて、ユーザ装置６０５は、各ＵＥカテゴリに対する最大サポートＤＬ  ＭＩＭＯレイヤ数についての情報を信号伝達する。
【００８８】
例えば、ＬＴＥリリース８／９に関連する第１のＵＥカテゴリはカテゴリ３であってもよく、ＬＴＥリリース１０に関連する第２のＵＥカテゴリはカテゴリ８であってもよい。表１に示すように、カテゴリ３に対する最大サポートＤＬ  ＭＩＭＯレイヤ数は２であり、カテゴリ６に対する最大サポートＤＬ  ＭＩＭＯレイヤ数は８である。
【００８９】
＜ステップ７０２ｄ＞
基地局６０３は、本実施例において、各ＵＥカテゴリからの要求値、即ち、８より大きくない、４であるＤＬ  ＭＩＭＯレイヤ数で動作する。ＤＬ  ＭＩＭＯレイヤ数がより小さい場合であるにもかかわらず、基地局６０３は、基地局６０３で使用されるＤＬ  ＭＩＭＯレイヤ数、即ち、それぞれのＵＥカテゴリからの要求値よりも小さいＤＬ  ＭＩＭＯレイヤ数を信号伝達する。
【００９０】
＜ステップ７０３ｄ＞
当該ステップは、図７ｂのステップ７０３ｂに対応する。
【００９１】
ＤＬ  ＭＩＭＯレイヤ数が要求値より小さい場合、ユーザ装置６０５は、基地局６０３に対して、基地局６０３によって示されるＤＬ  ＭＩＭＯレイヤ数又はＵＥカテゴリからの要求値に従って、ランク、ＣＱＩ、ＰＭＩを取得して報告する。
【００９２】
＜ステップ７０４ｄ＞
当該ステップは、図７ａのステップ７０３ａと、図７ｂのステップ７０４ｂと、図７ｃのステップ７０２ｃとに対応する。
【００９３】
ユーザ装置６０５及び基地局６０３は、当該ＵＥカテゴリに対する最大サポートＤＬ  ＭＩＭＯレイヤ数と、ＬＴＥリリース１０のＵＥカテゴリとを用いて通信を行う。
【００９４】
最大サポートＤＬ  ＭＩＭＯレイヤ数指標のシグナリング及び制限は、適切な方法で実装されうる。一実施形態において、黙示的なシグナリングが基地局６０３によってユーザ装置６０５へ信号伝達される。例えば、ユーザ装置６０５のＵＥカテゴリに従って動作する性能のユーザ装置６０５への指標は、具体的には、ユーザ装置６０５への信号伝達、又はブロードキャストの何れかで行われる。他の実施形態において、ユーザ装置６０５は、ユーザ装置６０５が示すＬＴＥリリース８／９ＵＥカテゴリでの最大サポートＤＬ  ＭＩＭＯレイヤ数に対応するコードブックサブセット制限での所定のデフォルト値を想定する。コードブックサブセット制限は、ユーザ装置からの最大レポートランクを制限することにより、ＬＴＥリリース８／９ＵＥカテゴリがサポートする最大ＤＬ  ＭＩＭＯレイヤ数にデフォルトで対応する。ＬＴＥリリース１０対応の基地局６０３は、ＬＴＥリリース１０の最大サポートＤＬ  ＭＩＭＯレイヤ数に従ってユーザ装置６０５を動作させたい場合には、それらの制限を排除する可能性を有する。これは、ユーザ装置６０５の高いスループットを達成する。
【００９５】
ユーザ装置６０５は、サポート可能な最大ＤＬ  ＭＩＭＯレイヤ数を示す明示的なパラメータを有するように構成されうる。デフォルトとして、当該パラメータは、限定はしないが、ユーザ装置６０５が示すＬＴＥリリース８／９ＵＥカテゴリにおいて最大サポートＤＬ  ＭＩＭＯレイヤ数に対応することができる。ＬＴＥリリース１０対応の基地局６０３は、ユーザ装置６０５のＬＴＥリリース１０の最大サポートＤＬ  ＭＩＭＯレイヤ数に従ってユーザ装置６０５を動作させたい場合に、当該パラメータに対するデフォルト値を設定する可能性を有する。これは、ユーザ装置６０５の高いスループットを達成する。
【００９６】
以下では、上述した方法を、基地局６０３の観点から説明する。図８は、通信ネットワーク６００においてユーザ装置６０５と通信を行う基地局６０３における本方法を説明するフローチャートである。基地局６０３は、少なくとも２つのユーザ装置カテゴリの選択に従ってユーザ装置６０５と通信を行うように構成される。当該方法は、以下のステップを含む。なお、何れかのステップは以下で説明する以外の他の適切なステップであってもよい。
【００９７】
＜ステップ８０１＞
当該ステップは、図７ａのステップ７０１ａと、図７ｂのステップ７０１ｂと、図７ｃのステップ７０１ｃと、図７ｄのステップ７０１ｄとに対応する。
【００９８】
いくつかの実施形態において、基地局６０３は、少なくとも２つのユーザ装置カテゴリと各ユーザ装置カテゴリに対する最大送信レイヤ数とについての情報を呪印する。少なくとも２つのカテゴリは、第１のユーザ装置カテゴリと、第２のユーザ装置カテゴリとであってもよい。最大送信レイヤ数は、第１の最大送信レイヤ数及び第２の最大送信レイヤ数であってもよい。
【００９９】
いくつかの実施形態において、選択されたユーザ装置カテゴリ及び第１の最大送信レイヤ数は、ロング・ターム・エボリューション（ＬＴＥ）のリリース８／９に関連付けられ、第２の最大送信レイヤ数は、ＬＴＥリリース１０に関連付けられる。いくつかの実施形態において、選択されたユーザ装置カテゴリ及び第１の最大送信レイヤ数は、ＬＴＥリリース１０に関連付けられ、第２の最大送信レイヤ数はＬＴＥリリース８／９に関連付けられてもよい。
【０１００】
＜ステップ８０２＞
当該ステップは、図７ａのステップ７０２ａと、図７ｂのステップ７０２ｂと、図７ｃのステップ７０２ｃと、図７ｄのステップ７０２ｄとに対応する。
【０１０１】
選択されたユーザ装置カテゴリについての情報に基づき、基地局６０３は、基地局６０３によってサポートされた第１の最大送信レイヤ数はを決定する。
【０１０２】
＜ステップ８０３＞
当該ステップは、図７ｂのステップ７０３ｂと図７ｄのステップ７０３ｄとに対応する。
【０１０３】
いくつかの実施形態において、基地局６０３は、ユーザ装置６０５からの第１の最大送信レイヤ数に従ってチャネル状態情報を受信する。チャネル状態情報は、ユーザ装置６０５及び基地局６０３の間の無線チャネル６０４の状態についての情報を含む。チャネル状態情報は、ランク、ＣＱＩ、ＰＭＩ、及びＰＴＩであってもよい。
【０１０４】
＜ステップ８０４＞
当該ステップ図７ａのステップ７０２ａと、図７ｂのステップ７０２ｂと、図７ｄのステップ７０２ｄとに対応する。
【０１０５】
いくつかの実施形態において、基地局６０３は第１の最大送信レイヤ数についての情報をユーザ装置６０５へ送信する。第１の最大送信レイヤ数は基地局６０３によってサポートされる。
【０１０６】
いくつかの実施形態において、第１の最大送信レイヤ数は、第１の最大送信レイヤ数が第２の最大送信レイヤ数よりも大きい場合に、ユーザ装置６０５へ送信される。
【０１０７】
基地局６０３は、第１の最大送信レイヤ数についての情報を、無線リソースコントロール（ＲＲＣ）プロトコルを介してユーザ装置６０５へ送信してもよい。
【０１０８】
＜ステップ８０５＞
これは、図７ａのステップ７０３ａと、図７ｂのステップ７０４ｂと、図７ｃのステップ７０２ｃと、図７ｄのステップ７０４ｄとに対応する。
【０１０９】
基地局は、第１の最大送信レイヤまでと、選択されたユーザ装置カテゴリとに従って、ユーザ装置６０５と通信を行う。
【０１１０】
いくつかの実施形態において、第１の最大送信レイヤ数までと、選択されたユーザ装置カテゴリとを用いたユーザ装置６０５との通信は、基地局６０３からユーザ装置６０５へ方向のダウンリンク通信である。本実施形態においてはこのような通信を、ＤＬ  ＭＩＭＯ通信と称する。
【０１１１】
以下では、上述した方法を、ユーザ装置６０５の観点から説明する。図９は、通信ネットワーク６００において基地局６０３と通信するユーザ装置６０５における本方法について説明する。ユーザ装置６０５は、少なくとも２つのユーザ装置カテゴリに従って基地局６０３と通信を行うように構成される。当該方法は、以下のステップを含む。なお、何れかのステップは以下で説明する以外の他の適切なステップであってもよい。
【０１１２】
＜ステップ９０１＞
当該ステップは、図７ａのステップ７０１ａと、図７ｃのステップ７０１ｃと、図７ｄのステップ７０１ｄとに対応する。
【０１１３】
いくつかの実施形態において、第１の最大送信レイヤ数についての情報は、ユーザ装置６０５で事前に設定される。
【０１１４】
いくつかの実施形態において、選択されたユーザ装置カテゴリ及び第１の最大送信レイヤ数は、ロング・ターム・エボリューション（ＬＴＥ）のリリース８／９に関連付けられ、第２の最大送信レイヤ数は、ＬＴＥのリリース１０に関連付けられる。いくつかの実施形態において、選択されたユーザ装置カテゴリ及び第１の最大送信レイヤ数は、ＬＴＥのリリース１０に関連付けられ、第２の最大送信レイヤ数は、ＬＴＥのリリース８／９に関連付けられる。
【０１１５】
＜ステップ９０２＞
当該ステップは、図７ａのステップ７０２ａと、図７ｂのステップ７０２ｂと、図７ｃのステップ７０２ｃと、図７ｄのステップ７０２ｄとに対応する。
【０１１６】
選択されたユーザ装置カテゴリについての情報は、ユーザ装置６０５は、ユーザ装置６０５によってサポートされる第１の最大送信レイヤ数を決定する。
【０１１７】
＜ステップ９０３＞
当該ステップは、図７ｂのステップ７０３ｂと、図７ｄのステップ７０３ｄとに対応する。
【０１１８】
いくつかの実施形態において、ユーザ装置６０５は、第１の最大送信レイヤ数に従って、ユーザ装置６０５及び基地局６０３の間の無線チャネル６０４の状態についての情報を取得する。
【０１１９】
＜ステップ９０４＞
当該ステップは、図７ｂのステップ７０３ｂと、図７ｄのステップ７０３ｄとに対応する。
【０１２０】
いくつかの実施形態において、ユーザ装置６０５は、取得したチャネル状態情報を基地局６０３へ送信する。
【０１２１】
＜ステップ９０５＞
当該ステップは、図７ａのステップ７０２ａと、図７ｂのステップ７０２ｂと、図７ｄのステップ７０２ｄとに対応する。
【０１２２】
いくつかの実施形態において、ユーザ装置６０５は、第１の最大送信レイヤ数についての基地局６０３からの情報を受信する。
【０１２３】
いくつかの実施形態において、ユーザ装置６０５は、第１の最大送信レイヤ数が第２の最大送信レイヤ数よりも大きい場合、第１の最大送信レイヤ数についての情報を受信する。
【０１２４】
いくつかの実施形態において、第１の最大送信レイヤ数についての情報は、無線リソースコントロール（ＲＲＣ）プロトコルを介して基地局６０３から受信する９０６。
【０１２５】
＜ステップ９０６＞
当該ステップは、図７ａのステップ７０３ａと、図７ｂのステップ７０４ｂと、図７ｃのステップ７０２ｃと、図７ｄのステップ７０４ｄとに対応する。
【０１２６】
ユーザ装置６０５は、第１の最大送信レイヤ数までと、選択されたユーザ装置カテゴリとに従って、基地局６０３と通信を行う。
【０１２７】
いくつかの実施形態において、第１の最大送信レイヤ数までと、選択されたユーザ装置カテゴリとを用いた基地局６０３との通信は、基地局６０３からユーザ装置６０５への方向のダウンリンク通信である。
【０１２８】
通信ネットワーク６００においてユーザ装置６０５と通信するための図８に示される方法ステップを実行するために、基地局６０３は図１０に示す構成を有する。基地局６０３は、少なくとも２つのカテゴリの選択に従ってユーザ装置６０５と通信を行うように構成される。
【０１２９】
基地局６０３は、選択されたユーザ装置カテゴリについての情報に基づき、基地局６０３によってサポートされる第１の最大送信レイヤ数についてのを決定する決定部１００１を備える。
【０１３０】
いくつかの実施形態において、基地局６０３は、第１の最大送信レイヤ数についての情報をユーザ装置６０５へ送信するように構成された送信ポート１００３を備える。いくつかの実施形態において、第１の最大送信レイヤ数が第２の最大送信レイヤ数よりも大きい場合に、決定された最大送信レイヤ数についての情報がユーザ装置６０５へ送信される。いくつかの実施形態において、送信ポート１００３は、さらに、無線リソースコントロール（ＲＲＣ）を介してユーザ装置６０５へ対して、第１の最大送信レイヤ数についての情報を送信するように構成される。いくつかの実施形態において、選択されたユーザ装置カテゴリ及び第１の最大送信レイヤ数は、ロング・ターム・エボリューション（ＬＴＥ）のリリース８／９に関連付けられ、第２の最大送信レイヤ数は、ＬＴＥのリリース１０に関連付けられる。いくつかの実施形態において、選択されたユーザ装置カテゴリ及び第１の最大送信レイヤ数は、ＬＴＥのリリース１０に関連付けられ、第２の最大送信レイヤ数は、ＬＴＥのリリース８／９に関連付けられる。
【０１３１】
基地局６０３は、第１の最大送信レイヤ数までと、選択されたユーザ装置カテゴリとに従ってユーザ装置６０５と通信を行うように構成された通信部１００５を備える。いくつかの実施形態において、第１の最大送信レイヤ数までと、選択されたユーザ装置カテゴリとに従ったユーザ装置６０５との通信は、基地局６０３からユーザ装置６０５への方向におけるダウンリンク通信である。
【０１３２】
いくつかの実施形態において、少なくとも２つのユーザ装置カテゴリと、各ユーザ装置カテゴリにおける最大送信レイヤ数とについての情報をユーザ装置６０５から受信する。いくつかの実施形態において、受信ポート１００８は、さらに、ユーザ装置６０５からの第１の最大送信レイヤ数に従ってチャネル状態情報を受信するように構成される。チャネル状態情報は、ユーザ装置６０５及び基地局６０３の間の無線チャネル６０４の状態についての情報を含む。
【０１３３】
通信ネットワーク６００において基地局６０３と通信を行うための図９に示される方法ステップを実行するために、ユーザ装置６０５は、図１１に示される構成を有する。ユーザ装置６０５は少なくとも２つのユーザ装置カテゴリの選択に従って基地局６０３と通信を行うように構成される。
【０１３４】
いくつかの実施形態において、ユーザ装置６０５は、第１の最大送信レイヤ数についての基地局６０５からの情報を受信するように構成される受信ポート１１０１を備える。いくつかの実施形態において、受信ポート１１０１は、さらに、第１の最大送信レイヤ数が第２の最大送信レイヤ数よりも大きい場合に、基地局６０３に０３からの第１の最大送信レイヤ数についての情報を受信するように構成される。いくつかの実施形態において、無線リソースコントロール（ＲＲＣ）を介してユーザ装置６０５へ対して、第１の最大送信レイヤ数についての情報が送信される。いくつかの実施形態において、第１の最大送信レイヤ数について情報は、ユーザ装置６０５において事前に設定される。いくつかの実施形態において、選択されたユーザ装置カテゴリ及び第１の最大送信レイヤ数は、ロング・ターム・エボリューション（ＬＴＥ）のリリース８／９に関連付けられ、第２の最大送信レイヤ数は、ＬＴＥのリリース１０に関連付けられる。いくつかの実施形態において、選択されたユーザ装置カテゴリ及び第１の最大送信レイヤ数は、ＬＴＥのリリース１０に関連付けられ、第２の最大送信レイヤ数は、ＬＴＥのリリース８／９に関連付けられる。
【０１３５】
ユーザ装置６０５は、選択されたユーザ装置カテゴリについての情報に基づき、ユーザ装置６０５によってサポートされた第１の最大送信レイヤ数を決定するように構成される決定部１１０３を備える。
【０１３６】
ユーザ装置６０５は、さらに、第１の最大送信レイヤ数までと、選択されたユーザ装置カテゴリとに従って、基地局６０３と通信を行うように構成される。いくつかの実施形態において、第１の最大送信レイヤ数までと、選択されたユーザ装置カテゴリとに従った基地局６０３との通信は、基地局６０３からユーザ装置６０５への方向におけるダウンリンク通信である。
【０１３７】
いくつかの実施形態において、ユーザ装置６０５は、第１の最大送信レイヤ数に従って、ユーザ装置６０５及び基地局６０３の間の無線チャネル６０４の状態についての情報を取得するように構成される取得部１１０９を備える。
【０１３８】
いくつかの実施形態において、ユーザ装置６０５は、少なくとも２つのユーザ装置カテゴリについて情報と、各ユーザ装置カテゴリに対する最大送信レイヤ数とを基地局６０３へ送信するように構成された送信ポート１１０８を備える。いくつかの実施形態において、送信ポート１１０８は、さらに、チャネル状態情報を基地局６０３へ送信するように構成される。
【０１３９】
通信ネットワーク６００においてユーザ装置６０５と基地局６０３との間の通信における本メカニズムは、本実施形態の機能を実行するプログラムコードとともに、図１０に示す基地局６０３の処理部１０１０や図１１に示すユーザ装置６０５の処理部１１２０などの１つ以上のプロセッサを通じて実装される。プロセッサは、例えば、デジタル・シグナル・プロセッサ（ＤＳＰ）、特定用途向け集積回路（ＡＳＩＣ）プロセッサ、フィールド・プログラマブル・ゲート・アレイ又はマイクロプロセッサであってもよい。上述したプログラムコードは、コンピュータプログラムとして提供されることができ、例えば、ユーザ装置６０５及び基地局６０３の少なくとも１つへロードする場合に、本実施形態を実行するためのプログラムコードを持ち運ぶ記憶媒体の形式で提供されてもよい。しかし、メモリスティックなどの他の記憶媒体であっても適用することができる。コンピュータプログラムコードは、さらに、サーバで実行されるプログラムコードとしてのみ提供され、遠隔でユーザ装置６０５及び基地局６０３の少なくとも１つへダウンロードするようにしてもよい。
【０１４０】
図１２は、シグナリング機能を含む上述の技術を実装した基地局６０３及びユーザ装置６０５の一例を示す。基地局６０３は、ソフトバッファリングを実行する１つ以上のメモリ１２０３に接続された統括的な基地局コントローラ１２０１を備える。ユーザ装置６０５に関連して、ソフトバッファリングは、ソフトチャネルビットの総量に従ってレートマッチングを実行するように参照されうる。基地局６０３に関連して、ソフトバッファリングは、ソフトチャネルビットの総量に従ってレートマッチングを実行するように参照されうる。無線周波数（ＲＦ）回路１２０５は、基地局に対しての無線送受信を実行する複数のアンテナ１２０８に接続される。図１２では、４つのアンテナ１２０８は、一例として示される。図１２のアンテナ１２０８は、図１０の送信ポート１００３及び受信ポート１００９に対応する。図１２の例では、キャリア・アグリゲーションがサポートされていることを示している。図１０の決定部１００１、処理部１０１０、及び通信部１００５に対応する複数のプロセッサは、ＨＡＲＱプロセッサ１２１０、ＵＥカテゴリシグナリングプロセッサ１２１２、及びＭＩＭＯレイヤプロセッサ１２１５を含む対応タスクを実行する。
【０１４１】
ユーザ装置６０５は、そのリリースや、多かれ少なかれ精巧さ、帯域幅及び他の機能に従って、同様の処理部やメモリブロックを備える。ユーザ装置６０５は、ソフトバッファリングを実行する１つ以上のメモリ１２２３に接続された統括的なユーザ装置コントローラ１２２０を備える。ＲＦ回路１２２５は、ユーザ装置６０５に対する無線送受信を実行するための複数のアンテナ１２２８に接続される。図１２では、２つのアンテナ１２２８が一例として示される。図１２のアンテナ１２２８は、図１１の送信ポート１１０８と、受信ポート１１０１とに対応する。決定部１１０３、処理部１１２０、取得部１１０９、及び通信部１１０５に対応する複数のプロセッサは、ＨＡＲＱプロセッサ１２３０、ＵＥカテゴリシグナリングプロセッサ１２３２、及びＭＩＭＯレイヤプロセッサ１２３５を含む対応タスクを実行する。ユーザ装置６０５は、さらに、ユーザ装置６０５のユーザとやり取りを可能にするためのユーザインタフェース１２４０を備える。
【０１４２】
特定の実施形態などの詳細な説明を記載したが説明を目的とするものであり、限定する意図はない。しかし、他の実施形態がそれらの特定詳細な説明から離れて採用されうることが当業者によって理解されるであろう。いくつかの例において、既知の方法、ノード、インタフェース、回路、デバイス詳細な説明については、不要な詳細な説明により不明瞭とならないように省略している。当業者は、上述した機能が、ハードウェア回路、例えば、アナログ型及び離散型の少なくとも一方の論理ゲートであって、１つ以上のデジタルマイクロプロセッサ又は汎用コンピュータと連結してソフトウェアプログラム及びデータを用いて専用機能、ＡＳＩＣ、ＰＬＡなどを実行するように相互接続された論理ゲートを用いて、１つ以上のノードにおいて実装されてもよいことを理解するであろう。エアインタフェースを用いる通信するノードは、適切な無線通信回路も備える。さらに、本発明は、プロセッサに上述の制御を実行させるコンピュータ命令の適切なセットを含む半導体メモリ、磁気ディスク、または光学ディスクなどのコンピュータで読み取り可能なメモリの形式で実装されることが追加的に考慮されうる。
【０１４３】
ハードウェア実装は、限定はしないが、デジタルシグナルプロセッサ（ＤＳＰ）ハードウェア、縮小命令セットプロセッサ、ハードウェア例えばデジタル若しくはアナログ、限定はしないが特定用途の集積回路（ＡＳＩＣ）及びフィールド・プログラマブル・ゲート・アレイ（ＦＰＧＡ）の少なくとも一方を含む回路、及び上述のような機能を実行することが可能な適切な状態マシンを含むか又は包含してもよい。
【０１４４】
コンピュータ実装の用語において、コンピュータは、一般的に、１つ以上のプロセッサ若しくは１つ以上のコントローラ、タームコンピュータ、プロセッサ、及び交換可能に使用されるコントローラを備えることが理解される。コンピュータ、プロセッサ、又はコントローラによって提供される場合、当該機能は、単一の専用コンピュータ、プロセッサ若しくはコントローラによって、単一の共用コンピュータ、プロセッサ若しくはコントローラによって、又は、いくつかが共用されるか若しくは分散される複数の個別のコンピュータ、プロセッサ若しくはコントローラによって提供されうる。さらに、用語「プロセッサ」又は「コントローラ」はまた、上述したハードウェアなどの、上述のような機能を実行したり、ソフトウェアを実行したりすることができる他のハードウェアとしても参照されうる。
【０１４５】
以上説明を記載したが、上述した例示の内容で本発明を限定するわけではない。
【０１４６】
上記説明は多くの特定事項を含むが、いくつかの好適な実施形態の説明を提供するものであって、限定的に解釈されるべきではない。本発明は、当業者には明らかなように他の実施形態をも十分に含みうる。単数形で記載された要素は、”唯一の”という意味を意図しているのではなく、むしろ明示的な記載がない限り「１つ以上の」という意味を意図している。上述した実施形態の各要素における、当業者にとって既知の全ての構成及び特徴の同等物は、本明細書の記載に明示的に含まれるものであり、本開示に含まれるものとする。さらに、本明細書で開示しうる事項によって解決されることが求められる、それぞれの及び全ての問題を解決する装置又は方法を必要としない。
【図１】
0006012708.tif 000005
【図２】
0006012708.tif 000006
【図３】
0006012708.tif 000007
【図４】
0006012708.tif 000008
【図５】
0006012708.tif 000009
【図６】
0006012708.tif 000010
【図７ａ】
0006012708.tif 000011
【図７ｂ】
0006012708.tif 000012
【図７ｃ】
0006012708.tif 000013
【図７ｄ】
0006012708.tif 000014
【図８】
0006012708.tif 000015
【図９】
0006012708.tif 000016
【図１０】
0006012708.tif 000017
【図１１】
0006012708.tif 000018
【図１２】
0006012708.tif 000019